(57)【特許請求の範囲】
【請求項１】
対向する２つの側板及び前記側板に固定される複数の支持構造を備えてなるサーバーキャビネットであって、
各々の前記側板には、複数の支持構造が枢着され、複数の前記支持構造は少なくとも１つのサーバーを支持するために用いられ、前記サーバーは、前記支持構造に係合する２つの側面を備え、各々の前記側面には、前記支持構造と係合するスライドレールが外に向かって延在され、
前記支持構造は、支持部及びトーションバネを備え、前記支持部は、前記スライドレールを挿入させるスライドスロット及び他方の側板に対面する当接面を備え、前記トーションバネは、弾性力を付与して、前記支持部の当接面が前記サーバーの側面に当接するようにすることを特徴とするサーバーキャビネット。
【請求項２】
前記側板には、一方向に沿って間隔をあけて配列された複数の凹部が前記一方向とは異なる他方向に間隔をあけて複数列配置されており、各々の前記凹部は、１つの前記支持構造を収容するために用いられ、各列において前記他方向で対応する複数の前記凹部に収容される複数の前記支持構造は、１つの前記サーバーの片側を支持するために用いられることを特徴とする請求項１に記載のサーバーキャビネット。
【請求項３】
前記支持部は、回転軸によって前記側板に枢着され、前記トーションバネは、前記回転軸を囲むように設けられることを特徴とする請求項１または２に記載のサーバーキャビネット。
【請求項４】
前記支持部は、前記当接面に対向する収容スロットを備え、前記トーションバネは、前記収容スロットに収容され、前記トーションバネは、前記収容スロットの底壁に当接する第一バネアーム及び前記側板に当接する第二バネアームを備えることを特徴とする請求項１から３のいずれか一項に記載のサーバーキャビネット。
【請求項５】
前記サーバーキャビネットは、頂板をさらに備え、前記支持部の前記スライドスロットは、前記頂板に対面することを特徴とする請求項１から４のいずれか一項に記載のサーバーキャビネット。
【請求項６】
前記サーバーキャビネットは、２つの側板の間に位置する挿入口を備え、前記支持部は、前記挿入口に対面するガイド面を備えることを特徴とする請求項１から５のいずれか一項に記載のサーバーキャビネット。
【請求項７】
請求項１〜請求項６のいずれか一項に記載のサーバーキャビネット及び前記サーバーキャビネットに装着される少なくとも１つのサーバーを備えることを特徴とするサーバーシステム。
【発明の詳細な説明】
【技術分野】
【０００１】
本発明は、サーバーキャビネット及びこのサーバーキャビネットを有するサーバーシステムに関するものである。
【背景技術】
【０００２】
情報技術の発展に伴って、データを貯蓄及び演算するために、各種のデータセンターを設立した。複数のサーバーを１つのサーバーキャビネットに装着すると、空間を節約するばかりでなく、容易に管理することができ、複数のサーバーが協働して作動するため、大量の演算処理を実行することができる。従って、サーバーキャビネットは、データセンターを設立する時に広く使用される。
【０００３】
従来のサーバーキャビネットは、互いに対向して設置される底板及び頂板と、前記頂板と前記底板との間に接続される２つの対向する側板と、を備える。前記側板には、複数の水平支持構造が前記側板の縦方向に沿って互いに離間して設置されており、前記サーバーキャビネットに装着する複数のサーバーを支持するために用いられる。
【発明の概要】
【発明が解決しようとする課題】
【０００４】
しかし、前記水平支持構造は、ただサーバーを支持するのみであるので、もしサーバーとサーバーキャビネットとの間に隙間があると、サーバーは振動によって前記水平支持構造に対して移動する可能性がある。
【０００５】
本発明の目的は、前記課題を解決し、サーバーが支持構造に対して移動することを防止するサーバーキャビネット及びサーバーシステムを提供することである。
【課題を解決するための手段】
【０００６】
本発明に係るサーバーキャビネットは、対向する２つの側板及び前記側板に固定される複数の支持構造を備え、各々の前記側板には、複数の支持構造が枢着され、複数の前記支持構造は少なくとも１つのサーバーを支持するために用いられ、前記サーバーは、前記支持構造に係合する２つの側面を備え、各々の前記側面には、前記支持構造と係合するスライドレールが外に向かって延在され、前記支持構造は、支持部及びトーションバネを備え、前記支持部は、前記スライドレールを挿入させるスライドスロット及び他方の側板に対面する当接面を備え、前記トーションバネは、弾性力を付与して、前記支持部の当接面が前記サーバーの側面に当接するようにする。
【０００７】
本発明に係るサーバーシステムは、前記サーバーキャビネット及び前記サーバーキャビネットに装着される少なくとも１つのサーバーを備える。
【発明の効果】
【０００８】
本発明のサーバーキャビネットの支持構造は、トーションバネを備え、前記トーションバネが付与する弾性力によって、前記支持構造の支持部の当接面がサーバーの側面に当接する状態を保持して、前記サーバーを固定して、前記サーバーが振動によって前記支持構造に対して移動することを免れる。
【図面の簡単な説明】
【０００９】
【図１】本発明の実施形態に係るサーバーシステムを示す図である。
【図２】図１に示すサーバーシステムのＢ−Ｂ方向に沿う部分断面図である。
【図３】図１に示すサーバーシステムのサーバーキャビネットの構造を示す図である。
【図４】図３に示すサーバーキャビネットに支持構造を取り付ける前の構造を示す図である。
【図５】図３に示すサーバーキャビネットの支持構造の分解図である。
【図６】図５に示す支持構造の支持部を別の視角から見た図である。
【図７】図３のＡ部の拡大図である。
【図８】図３のＢ部の拡大図である。
【発明を実施するための形態】
【００１０】
以下、図面を参照して、本発明の実施形態について説明する。
【００１１】
図１〜図３を参照すると、本発明の実施形態に係るサーバーシステム１は、サーバーキャビネット１００及び前記サーバーキャビネット１００に収容される複数のサーバー２００を備える。
【００１２】
前記サーバーキャビネット１００は、底板１０と、頂板２０と、２つの対向する側板３０と、２つの前記側板３０に取り付けられる複数の支持構造４０と、を備える。一方の側板３０に取り付けられる支持構造４０の形状は、他方の側板３０に取り付けられる支持構造４０の形状と対称である。前記サーバー２００は、前記支持構造４０に係合する２つの側面２１０を有する。前記側面２１０の頂端には、スライドレール２２０が外に向かって延在されており、このスライドレール２２０は、前記支持構造４０と係合するために用いられる。前記側面２１０の頂端とは、前記側面２１０の前記頂板２０に近い一端である。
【００１３】
前記底板１０及び前記頂板２０は互いに対向して設置されており、前記サーバーキャビネット１００を使用する場合、前記頂板２０は前記底板１０の上方に位置する。２つの前記側板３０は、前記底板１０と前記頂板２０との間に接続される。前記サーバーキャビネット１００は、２つの前記側板３０の間に位置する挿入口１０１を有し、前記挿入口１０１から前記サーバー２００を前記サーバーキャビネット１００の内部に挿入する。本実施形態において、対向する２つの前記側板３０は、互いに平行であり且つ前記頂板２０及び前記底板１０に直交する。
【００１４】
図４を参照すると、前記側板３０には、上下方向に沿って間隔をあけて配列された複数の凹部３１が水平方向に間隔をあけて複数列配置されている。各々の前記凹部３１は、１つの前記支持構造４０を収容するために用いられる。本実施形態において、上下方向に配列された複数の凹部３１は、水平方向に間隔をあけて３列配置されている。各列の複数の凹部３１のうち上下方向で同じ位置にある、すなわち水平方向で対応する３つの前記凹部３１に収容される３つの前記支持構造４０は、１つの前記サーバー２００の片側を支持するために用いられる。本実施形態において、前記凹部３１は、前記側板３０の内外表面を貫通する。他の実施形態において、前記側板３０が厚い場合、前記凹部３１は、前記側板３０の外表面を貫通しなくてもよい。複数の凹部３１は、上下方向に間隔をあけて配列されているが、上下方向以外の方向に間隔をあけて配列されてもよい。また、３列の複数の凹部３１は、水平方向に間隔をあけて配置されているが、各列の複数の凹部３１の配列方向である上下方向とは異なる方向であれば、水平方向以外の方向に間隔をあけて配置されてもよく、複数列配置されていれば、３列配置されていなくてもよい。
【００１５】
図５〜図８を参照すると、前記支持構造４０は、支持部４１、トーションバネ４２及び回転軸４３を備える。
【００１６】
前記支持部４１は、前記側板３０の凹部３１に収容され、且つ前記回転軸４３によって前記側板３０に枢着する。前記支持部４０は、前記挿入口１０１に対面するガイド面４１１と、前記頂板２０に対面するスライドスロット４１２と、他方の前記側板３０に対面する当接面４１３と、前記当接面４１３の対向する片側に位置する収容スロット４１４と、を備える。前記ガイド面４１１は、前記挿入口１０１に対面する斜面であり、前記サーバー２００を前記サーバーキャビネット１００に挿入する場合、前記サーバー２００の挿入方向を制御するために用いられる。前記スライドスロット４１２は、前記サーバー２００のスライドレール２２０と係合して前記サーバー２００を支持するために用いられる。前記当接面４１３は、前記サーバー２００に当接して、前記サーバー２００を固定するものである。本実施形態において、前記支持部４１には、軸孔４１５が前記回転軸４３を囲むように設けられる。前記支持部４１が回転する場合、前記当接面４１３は他方の前記側板３０に近付く方向又は他方の前記側板３０から離れる方向に向かって移動することができる。
【００１７】
前記トーションバネ４２は、前記回転軸４３を囲むように設けられ且つ前記収容スロット４１４に収容される。前記トーションバネ４２は、第一バネアーム４２１及び第二バネアーム４２２を備える。前記第一バネアーム４２１は、前記収容スロット４１４の底壁に当接し、前記第二バネアーム４２２は、前記側板３０に当接する。前記トーションバネ４２は、前記支持部４１に弾性力を付与して、前記サーバー２００を前記サーバーキャビネット１００に装着する場合、前記支持部４１の当接面４１３が前記サーバー２００の側面２１０に当接するようにする。
【００１８】
前記サーバー２００を前記サーバーキャビネット１００に装着する場合、前記サーバー２００の先端は、先ず前記支持部４１のガイド面４１１に接触して、前記支持部４１を推進して回動させ、前記サーバー２００のスライドレール２２０が前記支持部４１のスライドスロット４１２に挿入し、前記サーバー２００を前記サーバーキャビネット１００に装着すると、前記トーションバネ４２の弾性力によって、前記支持部４１の当接面４１３が前記サーバー２００の側面２１０に緊密に当接する。
【００１９】
本発明のサーバーキャビネット１００の支持構造４０は、前記トーションバネ４２を備え、前記トーションバネ４２が付与する弾性力によって、前記支持部４１の当接面４１３が前記サーバー２００の側面２１０に当接する状態を保持して、前記サーバー２００を固定して、前記サーバー２００が振動によって前記支持構造４０に対して移動することを防止する。
【００２０】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２１】
１  サーバーシステム
１０  底板
２０  頂板
３０  側板
３１  凹部
４０  支持構造
４１  支持部
４２  トーションバネ
４３  回転軸
１００  サーバーキャビネット
１０１  挿入口
２００  サーバー
２１０  側面
２２０  スライドレール
４１１  ガイド面
４１２  スライドスロット
４１３  当接面
４１４  収容スロット
４１５  軸孔
４２１  第一バネアーム
４２２  第二バネアーム
【図１】
0005379266.tif 000002
【図２】
0005379266.tif 000003
【図３】
0005379266.tif 000004
【図４】
0005379266.tif 000005
【図５】
0005379266.tif 000006
【図６】
0005379266.tif 000007
【図７】
0005379266.tif 000008
【図８】
0005379266.tif 000009